(57)【特許請求の範囲】
【請求項１】
上壁と下壁並びに奥壁と前脇壁とを備えて前面を開口した耐震性のあるもので家屋のリビングや和室などのコーナーに止着具により連結して設置可能なシェルターと、同シェルターの左右にそれぞれ配置されて前記前脇壁との間および家屋側との間に止着具を介して連結固定されるようにされる家具とでなる安全防護装置。
【発明の詳細な説明】
【技術分野】
【０００１】  本発明は、地震発生に伴う家屋倒壊から人を護るための安全防護装置に関する。
【背景技術】
【０００２】  日本においては地震が活動期に入り、大きな地震が頻発しているのが現状である。地震が発生すると、場合によっては家屋（マンションも含む）が倒壊し、そのままでは圧死を招く。
【発明が解決しようとする課題】
【０００３】  こうした圧死対策として、家屋を補強すればよいが、現在のところ簡易で安価な施工方法はないのが実状である。
上記に鑑み、本発明は、簡易かつ安価に設置できて圧死を免れるだけでなく通常時には衣服の収納用として機能し得るようにした安全防護装置を提供することを目的とする。
【課題を解決するための手段】
【０００４】  上記課題を解決するため、請求項１記載の発明は、上壁と下壁並びに奥壁と前脇壁とを備えて前面を開口した耐震性のあるもので家屋のリビングや和室などのコーナーに止着具により連結して設置可能なシェルターと、同シェルターの左右にそれぞれ配置されて前記前脇壁との間および家屋側との間に止着具を介して連結固定されるようにされる家具とでなる。
【発明の効果】
【０００５】  本発明によれば、上壁と下壁並びに奥壁と前脇壁とを備えて前面を開口した耐震性のあるもので家屋のリビングや和室などのコーナーに止着具により連結して設置可能なシェルターと、同シェルターの左右にそれぞれ配置されて前記前脇壁との間および家屋側との間に止着具を介して連結固定されるようにされる家具とでなるので、簡易かつ安価に設置できて圧死を免れるだけでなく通常時には衣服の収納用として機能し得るようにした安全防護装置を提供することができる。
【発明を実施するための最良の形態・実施例】
【０００６】  以下、本発明を各実施形態によって詳細に説明するが、各実施形態で説明する内容は、他の実施形態にも同様に適用がある。
【０００７】  図１および図２は他の実施形態を示す。同実施形態は、例えば、リビング（和室や他の個人部屋でもよい）内のコーナーに耐震性のシェルター２２１を設置するに当たってこのシェルター２２１それ自体が家屋の耐震補強を兼ねるようにしたものであり、それに加えて直交配置した収納型家具（非収納型でもよい）２２２，２２２が協働して補強のために寄与するようにしたものである。シェルター２２１のみでもよい。
【０００８】  シェルター２２１は、上壁２２３・下壁２２４・奥壁２２５・前脇壁２２６からなり、これらの壁は、木材・プラスチック・金属板などいずれを使ってもよく、これらの材料を組み合わせることもできる。このシェルター２２１は箱体構造であるが、適数本の支柱による軸組み構造にしてもよい。２２７は中央支柱で、シェルター２２１の補強になるとともに図１のように避難者の抱持ポール役も兼ねる。２２８はクッション材で、中央支柱２２７の外周に被覆されて避難者が当たっても安全なようにし揺れても安定であるようにする。
【０００９】  ２３０は緩衝材で、シェルター２２１の上面に設けられるとともに、その上に天板２３１が覆設されている。これら２３０，２３１はシェルター２２１に定着式とする。緩衝材２３０は粘着ゲル材を使用してもよい。シェルター２２１は、上からみると、図２に示すように、完全に四角形のものでなく、２つの前側の辺をつなぐ部分が丸くなっている。これはデザイン性に優れることは基より非常時にぶつかりにくくその一方で避難空間を広めにとることができることによる。しかし、非常時の安全性のため、さらにクッション材を被着しておくこともできる。２３２はスリップ止めシートである。
尚、同シェルター２２１の前面開口は１３０ｃｍ□前後であり内部には４〜５人が避難することができる。また、内部には非常食料・飲料水等の必要品を常備可能とする他、消火器やライトなどをも常備可能とする。これらは吊り下げ方式にしてもよいし、別途収納ケースを設けてこれに収めるようにしてもよい。この収納ケースは、縦軸（中央支柱２２７回りに設けてもよい）回りにスイング可能にしてシェルター２２１外部と内部に出入り自在にしておけば交換や補充が楽にできる。
【００１０】  こうしたシェルター２２１は、図２の平面図のように、家屋の既設支柱や縦桟（間柱などを含む）に対して止着具２３４…により連結することもできる。前記家具２２２も耐震構造になっている。同家具２２２は、縦桟（間柱や本柱などを含む）に対してならびにシェルター２２１に対してそれぞれ止着具２３４…により連結固定することができる。こうすることにより、家屋の側の倒壊が防止される。特に、同実施形態のように、部屋の直交する面に配備した柱類を直交配置したシェルター２２１・家具２２２，２２２により連結することにより縦横方向への揺れに対して有効に抵抗する。尚、２３５はＴＶであり、同ＴＶ２３５は、シェルター２２１内や家具２２２内に設置しておくことができ、特に、シェルター２２１内に対しては非常時には図２の矢印のように旋回して回避可能にして避難時に邪魔にならないようにしておく。
尚、２３６は幅木で、シェルター２２１および家具２２２の裏面はこの幅木２３６で立壁に対して浮いた関係になることもあってその間に裏板２３７を固定しておいてこの裏板２３７を通じてシェルター２２１や家具２２２などを家屋側に固定してある。
【００１１】  図３および図４は他の実施形態を示す。同実施形態は、例えば、リビング（和室や他の個人部屋でもよい）内のコーナーに耐震性のシェルター２３９を設置するに当たってこのシェルター２３９それ自体が家屋の耐震補強を兼ねるようにしたものであり、それに加えて直交配置した収納型家具（非収納型でもよい）２４０，２４０が協働して補強のために寄与するようにしたものである。シェルター２３９のみでもよい。
【００１２】  シェルター２３９は、上壁２４１・下壁２４２・奥壁２４３・前脇壁２４４からなり、これらの壁は、木材・プラスチック・金属板などいずれを使ってもよく、これらの材料を組み合わせることもできる。このシェルター２３９は箱体構造であるが、適数本の支柱による軸組み構造にしてもよい。２４５は中央支柱で、シェルター２３９の補強になるとともに図４のように避難者の抱持ポール役も兼ねる。
【００１３】  ２４６は緩衝材で、シェルター２３９の上面に設けられる。シェルター２３９は、上からみると図１、２と同様の形状であるが、高さｈ１だけは１９０ｃｍ前後の高いものとされている。これに対して、家具２４０は、シェルター２３９と同じ高さにしてあるが、図４に仮想線で示すように、シェルター２３９より少し低いｈ２としたり、それよりさらに一段と低いｈ３としてもよい。逆に家具２４０の高さをＨのようにシェルター２３９の高さｈ１よりも高くすることにより地震発生時に家具２４０がシェルター２３９の防護役となってより確実に避難することを保障する。
尚、シェルター２３９の中央支柱２４５を利用してハンガーリング２４７を回転自在に取り付け、同リング２４７にハンガー２４８…を掛け吊りして回転ハンガーを構成することもできる。
また、シェルター２３９内部には非常食料・飲料水等の必要品を常備可能とする他、消火器やライトなどをも常備可能とすることができる。そのため、シェルター３９内には、コーナースペースなどを利用して収納ケース２４９…を配置することができる。
また、家具２４０には、強度のある天板２５０付きの扉２５１を付して図９のように非常時に開くことで地震から避難するスペースを得ることができるようにしてもよい。
【図面の簡単な説明】
【００１４】
【図１】本発明の一実施形態である室内用シェルターを示す斜視図。
【図２】図１の平面図。
【図３】シェルターの他の実施形態を示す平面図。
【図４】図３の正面図。
【符号の説明】
【００１５】  ２２３，２４１…上壁  ２２４，２４２…下壁  ２２５，２４３…奥壁  ２２６，２４４…前脇壁  ２２１，２３９…耐震性シェルター  ２２２，２４０…家具。
【図１】
0005552629.tif 000002
【図２】
0005552629.tif 000003
【図３】
0005552629.tif 000004
【図４】
0005552629.tif 000005